(57)【要約】【課題】  歯科用粉末材料が収容される容器本体の開口部に係合されるノズル体であって、特に歯科用粉末材料をノズル体を介して小径のカップ内等に排出する際に容器本体内の歯科用粉末材料の粉末の一部が塊状化しても詰まることがない歯科用粉末材料用ノズル体を提供する。【解決手段】  歯科用粉末材料用ノズル体を、歯科用粉末材料が収容される容器本体の開口部に係合される係合部１と、この係合部１に連続して先細り状に形成されていると共にその先端に設けられた排出口2cとこの係合部１側に開口する導入口2aとを連通せしめる中空の先細り状の排出路2bが設けられている先細り部２とで構成し、排出路2bの長さ及び導入口2aの直径が排出口2cの直径の所定倍の範囲とし、前記導入口2aに少なくとも収容される歯科用粉末材料の粉末の一部の塊状化した塊が通過することができないふるい目3aの開きを有するふるい３を設ける。【選択図】        図１
2005080923.tif 000002
【特許請求の範囲】
【請求項１】
歯科用粉末材料(Ｐ)が収容される容器本体(Ｃ)の開口部に係合される係合部(１)と、該係合部(１)に連続して先細り状に形成されていると共にその先端に設けられた排出口(2c)と該係合部(１)側に開口する導入口(2a)とを連通せしめる中空の先細り状の排出路(2b)が設けられている先細り部(２)とから成るノズル体であって、該排出路(2b)の長さが該排出口(2c)の直径の１０〜７０倍で、該導入口(2a)の直径が該排出口(2c)の直径の２〜２０倍であり、少なくとも収容される歯科用粉末材料(Ｐ)の粉末が塊状化した塊が通過することができないふるい目(3a)の開きを有するふるい(３)が前記導入口(2b)に設けられていることを特徴とする歯科用粉末材料用ノズル体。
【請求項２】
排出口(2c)の直径が、０.２〜３ｍｍである請求項１に記載の歯科用粉末材料用ノズル体。
【請求項３】
ふるい(３)のふるい目(3a)が円形である請求項１又は２に記載の歯科用粉末材料用ノズル体。
【請求項４】
排出口(2c)の直径がふるい(３)のふるい目(3a)の開きよりも大きい請求項１から３までの何れか１項に記載の歯科用粉末材料用ノズル体。
【発明の詳細な説明】
【技術分野】
【０００１】
本発明は、歯科床用材料や義歯床用裏装材料等の１回の使用量が比較的少ない歯科用レジン材料から成る歯科用粉末材料が収容される容器本体の開口部に係合されるノズル体に関するものであり、特に容器本体内に収容された歯科用粉末材料をノズル体を介して排出する際に、容器本体内の歯科用粉末材料の粉末の一部が塊状化してもノズル体内で詰まってしまうことがなく良好な状態で歯科用粉末材料を得ることができる歯科用粉末材料用ノズル体に関するものである。
【背景技術】
【０００２】
一般に、歯科用材料としては種々の歯科用粉末材料が使用されているが、これらの歯科用粉末材料の中でも歯科床用材料や義歯床用裏装材料等の歯科用レジン材料の粉末は１回の使用量が１〜６ｃｃ程度と比較的少ないので、使用に際しては別途用意された小さなカップ状の容器内等で専用の液体状の材料と混合練和等される必要がある。
【０００３】
そこで、容器本体の上部外周に形成された雄ねじに、キャップの本体部の下部内周に形成された雌ねじを螺合させて内容物である歯科用粉末材料を封入し、必要な量の歯科用粉末材料をノズルから排出するための容器本体が生分解性プラスチックから成る容器（例えば、特許文献１参照。）が提案されている。
【０００４】
ところが、歯科用粉末材料は一般にその粒径が小さいため湿度の高い雰囲気に曝されると湿気を吸収して塊状化するから、歯科用粉末材料が収容される容器本体内には歯科用粉末材料の粉末の一部が塊状化して塊となった、いわゆる「だま」が多く発生してしまうという現象が起こるので、このようなノズルを有する容器において特にそのノズルの形状が歯科用粉末材料の粉末の一部が塊状化した塊を通過させることができないような細長い形状である場合には、歯科用粉末材料の粉末の一部が塊状化した塊によりノズルが詰まってしまうという欠点があり、またノズルが詰まってしまうことにより液体材料と混合練和する際に必要な量だけカップ状の容器内に排出する妨げとなるという欠点があった。
【０００５】
また、このようなノズルを有する容器においてそのノズルの形状が歯科用粉末材料の粉末の一部が塊状化した塊を通過させることができるような太く短い形状である場合には、必要な量よりも多く歯科用粉末材料を排出してしまうという欠点があり、また塊状化した塊の内部に液体材料が行き渡らないことになって歯科用材料を均一な状態に素早く混合練和することが困難となってしまうという欠点があった。
【０００６】
【特許文献１】特開２００３−７９６９９号公報（段落番号０００３，図２）
【発明の開示】
【発明が解決しようとする課題】
【０００７】
本発明は、前記従来技術の欠点を解消し、歯科床用材料や義歯床用裏装材料等の歯科用レジン材料の粉末から成る歯科用粉末材料が収容される容器本体の開口部に係合されるノズル体に関するものであって、特に容器本体内に収容された歯科用粉末材料をノズル体を介して排出する際に、容器本体内の歯科用粉末材料の粉末の一部が塊状化してもノズル体が詰まってしまうことがなく良好な状態で歯科用粉末材料を得ることができる歯科用粉末材料用ノズル体を提供することを課題とする。
【課題を解決するための手段】
【０００８】
本発明者は前記課題を解決すべく鋭意研究の結果、歯科用粉末材料用ノズル体を、歯科用粉末材料が収容される容器本体の開口部に係合される係合部と、この係合部に連続して先細り状に形成されていると共にその先端に設けられた排出口とこの係合部側に開口する導入口とを連通せしめる中空の先細り状の排出路が設けられている先細り部とで構成し、排出路の長さ，排出口の直径及び導入口の直径をそれぞれ所定範囲内に規定すると共に、前記導入口に少なくとも収容される歯科用粉末材料の粉末が塊状化した塊が通過することができないふるい目の開きを有するふるいを設ければ、容器本体内に収容された歯科用粉末材料をノズル体を介して排出する際に、容器本体内の歯科用粉末材料の粉末の一部が塊状化してもノズル体内が詰まってしまうことがなく良好な状態で歯科用粉末材料を得ることができることを究明して本発明を完成したのである。
【０００９】
即ち本発明は、歯科用粉末材料が収容される容器本体の開口部に係合される係合部と、該係合部に連続して先細り状に形成されていると共にその先端に設けられた排出口と該係合部側に開口する導入口とを連通せしめる中空の先細り状の排出路が設けられている先細り部とから成るノズル体であって、該排出路の長さが該排出口の直径の１０〜７０倍で、該導入口の直径が該排出口の直径の２〜２０倍であり、少なくとも収容される歯科用粉末材料の粉末が塊状化した塊が通過することができないふるい目の開きを有するふるいが前記導入口に設けられていることを特徴とする歯科用粉末材料用ノズル体である。
【００１０】
そして、排出口の直径が、０.２〜３ｍｍであれば、歯科用の小径の練和用カップ内等に歯科用粉末材料を排出し易いので好ましく、またふるいのふるい目が円形であれば、歯科用粉末材料の粉末が塊状化した塊を崩壊させる性能が向上させることができて好ましく、更に排出口の直径がふるいのふるい目の開きよりも大きければ、排出口が歯科用粉末材料で詰まってしまう現象を完全に防止することができるので好ましいことも究明したのである。
【発明の効果】
【００１１】
本発明に係る歯科用粉末材料用ノズル体は、前記した構成より成るものであるから、容器本体内に収容された歯科用粉末材料をノズル体を介して排出する際に、容器本体内の歯科用粉末材料の粉末の一部が塊状化してもノズル体が詰まってしまうことがなく良好な状態で歯科用粉末材料を得ることができるばかりでなく、歯科用粉末材料の粉末の塊状化が最小限に防止された良好な状態の歯科用粉末材料を得ることができるのである。
【００１２】
そして、排出口の直径が、０.２〜３ｍｍであれば、歯科用の小径の練和用カップ内等に歯科用粉末材料を確実に素早く排出することができるので好ましく、またふるいのふるい目が円形であれば、歯科用粉末材料の粉末の一部が塊状化した塊は通常は球体状であるから、歯科用粉末材料の粉末の一部が塊状化した塊は円形のふるい目の縁によって効率良く崩壊させられるので、歯科用粉末材料の粉末の一部が塊状化した塊を素早く崩壊させることができて好ましく、更に排出口の直径がふるいのふるい目の開きよりも大きければ、ふるい目で崩壊させられた歯科用粉末材料を容易に排出路を通過して排出口において詰まることなく排出させることができて好ましいのである。
【発明を実施するための最良の形態】
【００１３】
以下、図面により本発明に係る歯科用粉末材料用ノズル体について詳細に説明する。
図１は本発明に係る歯科用粉末材料用ノズル体の１の実施例の正断面説明図、図２は図１の底面説明図、図３は本発明に係る歯科用粉末材料用ノズル体の他の実施例の底面説明図、図４は本発明に係る歯科用粉末材料用ノズル体の使用状態を示す説明図である。
【００１４】
図面中、１は歯科用粉末材料Ｐが収容される容器本体Ｃの開口部に係合される係合部であり、歯科用粉末材料Ｐが収容される容器本体Ｃに本発明に係る歯科用粉末材料用ノズル体を係合させると共に、容器本体Ｃ内に収容された歯科用粉末材料Ｐを後述するふるい３を通過させて後述する先細り部２の導入口2aへと導くを役目を果たす。
【００１５】
この係合部１は、図４に示す如く容器本体Ｃの開口部の外側に係合するものであっても、図示しないが容器本体Ｃの開口部の内側に係合するものであってもよいが、図１〜図３に示す如く係合部１にねじが形成されていれば、係合部１を回転させることにより容器本体Ｃの開口部から歯科用粉末材料用ノズル体を簡単に係脱できるから、容器本体Ｃ内に収容された歯科用粉末材料Ｐを使い切った際に、歯科用粉末材料Ｐを再び収容することにより歯科用粉末材料用ノズル体と容器本体Ｃとを再利用することができると共に、他の容器本体Ｃの開口部にも再使用することができるので好ましい。
【００１６】
２は係合部１に連続して先細り状に形成されていると共にその先端に設けられた排出口2cとこの係合部１側に開口する導入口2aとを連通せしめる中空の先細り状の排出路2bが設けられている先細り部であり、後述するふるい３を通過した歯科用粉末材料Ｐを必要な量だけ歯科用の小径の練和用のカップ内に素早く排出させる役目を果たす。
【００１７】
この先細り部２には、図１に示す如く先端に設けられた排出口2cとこの係合部１側に開口する導入口2aとを連通せしめる中空の先細り状の排出路2bが設けられており、係合部１に係合された容器本体Ｃ内に収容された歯科用粉末材料Ｐは、係合部１側の導入口2aに設けられた後述するふるい３を通過して、導入口2aより中空の先細り状の排出路2bに導入され、そして排出路2bの先端側に設けられた排出口2cより排出される。
【００１８】
この際、歯科用粉末材料Ｐは直径の大きい導入口2aから中空の先細り状の排出路2bを通過して直径の小さい排出口2cに至り外部へ排出されるから、この過程において歯科用粉末材料Ｐは徐々に狭くなる排出路2bを移動することになるので排出路2bの抵抗によって一度に多量の歯科用粉末材料Ｐが排出口2cから排出されることがなく、また歯科用粉末材料Ｐによって排出口2c近傍が詰まってしまう現象も最小限に抑えることができるのである。また、排出口2cは導入口2aよりもその直径が小さく構成されているので、排出口2cより排出される歯科用粉末材料Ｐの流量を調整し易いと共に、歯科用の小径の練和用カップ内のような狭い場所に歯科用粉末材料Ｐを必要な量だけ排出する操作を容易に行うことができるのである。
【００１９】
このように歯科用粉末材料Ｐを練和用カップ内等に必要な量だけ排出する操作を容易に行えるようにするためには、この先細り部２の排出路2bの長さを排出口2cの直径の１０〜７０倍、好ましくは１５〜５０倍にすると共に、導入口2aの直径を排出口2cの直径の２〜２０倍にする必要がある。これは、排出路2bの長さが排出口2cの直径の１０倍以下であると、排出路2bが短いので歯科用粉末材料Ｐが一度に多量排出されてしまうので好ましくなく、そして排出路2bの長さが排出口2cの直径の７０倍以上であると、排出路2bが長いので排出口2cの近傍が詰まり易くなってしまい好ましくないのである。また、導入口2aの直径が排出口2cの直径の２倍以下であると、導入口2aと排出口2cとの直径の差がほとんど無いので、排出口2cより排出される歯科用粉末材料Ｐの流量を調整しずらいと共に、歯科用粉末材料Ｐが一度に多量排出されてしまうので好ましくなく、また導入口2aの直径が排出口2cの直径の２０倍以上であると、排出口2cが小さすぎるので歯科用粉末材料Ｐを素早く排出させることができなくなってしまうと共に、排出口2cの近傍が詰まり易くなってしまい好ましくないのである。
【００２０】
この先細り部２の排出路2bの形状としては、少なくとも中空で先細り状の形状に形成されているものであれば、様々な形状のものを採用することができるが、図１に示す如く導入口2aから一気にその直径が絞られた後に排出口2cに向かって緩やかにその直径が小さくなるような排出路2bの形状であれば、排出される歯科用粉末材料Ｐが徐々に抵抗を受けて一気に排出されることがないので好ましいのである。また、この先細り部２の排出路2bの排出口2cの直径が０.２〜３ｍｍであれば、歯科用の小径の練和用カップ内等に素早く確実に排出させることができるので好ましいのである。
【００２１】
この先細り部２は、前記係合部１に連続して形成されており、その素材は限定されないが、防湿性や加工容易性等の観点からポリプロピレンやポリエチレンテレフタレート等の合成樹脂が好ましく用いられる。
【００２２】
３は少なくとも収容される歯科用粉末材料Ｐの粉末の一部の塊状化した塊が通過することができないふるい目3aの開きを有するふるいであり、歯科用粉末材料Ｐの粉末の一部の塊状化した塊を崩壊させて良好な状態で歯科用粉末材料Ｐを得る役目を果たす。
【００２３】
このふるい３は、少なくとも収容される歯科用粉末材料Ｐの粉末の一部の塊状化した塊が通過することができないふるい目3aの開きを有しており、係合部１に係合された容器本体Ｃ内から収容された歯科用粉末材料Ｐを排出させるために、容器本体Ｃをノズル体が下方に向くように傾けたり、容器本体Ｃを変形させる圧縮力を加えたりすると、塊状化していない歯科用粉末材料Ｐは容易にこのふるい３のふるい目3aを通過し、一方歯科用粉末材料Ｐの粉末の一部の塊状化した塊はこのふるい３のふるい目3aを通過することができずにふるい目3aに引っ掛かってしまっても、容器本体Ｃを変形させる圧縮力を加え続けると、容器本体Ｃ内に存在する歯科用粉末材料Ｐによってこのふるい目3aに引っ掛かってしまった歯科用粉末材料Ｐの粉末の一部の塊状化した塊にふるい目3aを通過する方向への力が加わるから、このふるい目3aに引っ掛かってしまった歯科用粉末材料Ｐの粉末の一部の塊状化した塊は、その力に耐えきれずに崩壊することにより、ふるい３のふるい目3aを通過して塊状化していない良好な状態の歯科用粉末材料Ｐとなるのである。
【００２４】
このふるい３としては、図２に示す如く網目状にふるい目3aが形成されていてもよいが、図３に示す如くふるい３のふるい目3aが円形であれば、通常は歯科用粉末材料Ｐの粉末の一部の塊状化した塊は球体状であるから、歯科用粉末材料Ｐの粉末の一部の塊状化した塊は円形のふるい目3aの縁によって効率良く崩壊させられるので、歯科用粉末材料Ｐの粉末の一部の塊状化した塊は素早く崩壊させることができて好ましいのである。
【００２５】
また、このふるい３のふるい目3aは、少なくとも収容される歯科用粉末材料Ｐの粉末の一部の塊状化した塊が通過することができない開きを有しているものであれば何でもよいが、ふるい３のふるい目3aの開きよりも排出口2cの直径が大きければ、排出口2cが歯科用粉末材料Ｐで詰まってしまう現象を完全に防止することができるので好ましい。
【００２６】
そして、このふるい３のふるい目3aの大きさとしては、容器本体内に収容される歯科用粉末材料Ｐの種類等によって適宜選択すればよいが、ふるい目3aの一辺の長さが０.１８ｍｍ〜２.９８ｍｍの正方形の範囲内に収まる大きさであることか好ましい。即ち、０.１８ｍｍ未満であると塊状化していない一般的な歯科用粉末材料Ｐであってもふるい目3aを通過することが困難な場合があり、また２.９８ｍｍを超えると歯科用粉末材料Ｐがふるい３を通過する際の流量を調整することが困難となってしまうからである。
【００２７】
また、ふるい３は図１〜図３に示す如く係合部１及び先細り部２とは別の部材であってもよく、図示しないが係合部１及び先細り部２と一体に形成されていてもよいが、少なくとも先細り部２の導入口2bに設けられている必要がある。
【００２８】
次に、このような構成の本発明に係る歯科用粉末材料用ノズル体の使用方法について説明する。
初めに、本発明に係る歯科用粉末材料用ノズル体を歯科用粉末材料Ｐが収容されている容器本体Ｃに係合させる操作を行う。この際、本発明に係る歯科用粉末材料用ノズル体の係合部１を歯科用粉末材料Ｐが収容されている容器本体Ｃに係合させるが、例えば係合部１が図４に示す如く容器本体Ｃの開口部の外側に係合するものであって、図１〜図３に示す如く係合部１にねじが形成されているものであれば、係合部１を回転させることにより容器本体Ｃの開口部に係合部１を係合させる。
【００２９】
この本発明に係る歯科用粉末材料用ノズル体を歯科用粉末材料Ｐが収容されている容器本体Ｃに係合させる操作は、既にノズル体が容器本体Ｃに係合されている場合には容器本体Ｃ内に収容された歯科用粉末材料Ｐを排出させる操作を行う度に行う必要はなく、通常は容器本体Ｃ内に歯科用粉末材料Ｐが収容されている状態で予めノズル体が容器本体Ｃに係合されているのでこの操作は必要無いのである。
【００３０】
このような準備が完了した後に、先細り部２の先端を収容された歯科用粉末材料Ｐを排出したい歯科用の小径の練和用カップ等内に向け、容器本体Ｃをノズル体が下方に向くように傾けたり、必要により容器本体Ｃの側面を指等で挟んで押すことにより容器本体Ｃを変形させる圧縮力を加えたりして容器本体Ｃ内に収容された歯科用粉末材料Ｐを排出させる操作を行う。
【００３１】
この操作は、重力や容器本体Ｃを変形させる圧縮力によって容器本体Ｃ内に収容された歯科用粉末材料Ｐが容器本体Ｃより押し出され、ふるい３のふるい目3cを通過して先細り部２の直径の大きい導入口2aから中空の先細り状の排出路2bを通過して直径の小さい排出口2cに至り外部へ排出することによって行われる。
【００３２】
この際、歯科用粉末材料Ｐは直径の大きい導入口2aから中空の先細り状の排出路2bを通過して直径の小さい排出口2cに至り外部へ排出されるから、この過程において歯科用粉末材料Ｐは抵抗を受けるので、歯科用粉末材料Ｐが一度に多量排出されることがないと共に、歯科用粉末材料Ｐの粉末の一部の塊状化した塊によって排出口2c近傍が詰まってしまう現象を最小限にすることができ、排出口2cは導入口2aよりもその直径が小さい構成であるので、排出口2cより排出される歯科用粉末材料Ｐを歯科用の小径の練和用カップのような小さな開口部内に歯科用粉末材料Ｐを必要な量だけ排出する操作を容易に行うことができるのである。
【００３３】
また、この際に歯科用粉末材料Ｐの粉末の一部の塊状化した塊はふるい３のふるい目3aを通過することができずにふるい目3aに引っ掛かってしまうことがあっても、容器本体Ｃを振ったり容器本体Ｃを変形させる圧縮力を加え続けたりすると、容器本体Ｃ内に存在する歯科用粉末材料Ｐによってこのふるい目3aに引っ掛かった歯科用粉末材料Ｐの粉末の一部の塊状化した塊にふるい目3aを通過する方向への力が加わるから、このふるい目3aに引っ掛かった歯科用粉末材料Ｐの粉末の一部の塊状化した塊がその力に耐えきれずに崩壊することにより、ふるい３のふるい目3aを通過して良好な状態で歯科用粉末材料Ｐを排出できるのである。
【００３４】
かくして、必要な量だけ歯科用粉末材料Ｐを排出した後に、容器本体Ｃをノズル体が上方に向くように傾きを戻したり容器本体Ｃを変形させる圧縮力を解除したりする操作を行えば、先細り部２の排出口2cからの歯科用粉末材料Ｐの排出が止まり、必要な量の歯科用粉末材料Ｐを得ることができるのである。
【図面の簡単な説明】
【００３５】
【図１】本発明に係る歯科用粉末材料用ノズル体の１の実施例の正断面説明図である。
【図２】図１の底面説明図である。
【図３】本発明に係る歯科用粉末材料用ノズル体の他の実施例の底面説明図である。
【図４】本発明に係る歯科用粉末材料用ノズル体の使用状態を示す説明図である。
【符号の説明】
【００３６】
１  係合部
２  先細り部
2a  導入口
2b  排出路
2c  排出口
３  ふるい
3a  ふるい目
Ｃ  容器本体
Ｐ  歯科用粉末材料
【図１】
2005080923.tif 000003
【図２】
2005080923.tif 000004
【図３】
2005080923.tif 000005
【図４】
2005080923.tif 000006